(57)【要約】【課題】  メモリ制御ＩＣとメモリモジュールとの間の信号遅延によるボード性能への悪影響がなく（少なく）、その設計時に配線上の問題も生じないメインボードであって、それを用いることにより、メインボードの高さ方向と一致する方向のサイズが小さく、かつ、２つのメモリモジュールの双方を容易に脱着可能な装置を構成することができるメインボードを、提供する。【解決手段】  メインボード１１を、ＳＯＤＩＭＭ用のスタンダードタイプコネクタ２１ｓとリバースタイプコネクタ２１ｒとを、その基板の一方の面上にＳＯＤＩＭＭの装着口側が近接するように並べたものとしておく。【選択図】  図２
2005119168.tif 000002
【特許請求の範囲】
【請求項１】
基板上に、一方の端に端子群が形成されているメモリモジュール用の第１コネクタ及び第２コネクタと、それらに装着された前記メモリモジュールを制御するためのメモリ制御ＩＣとが、設けられたメインボードであって、
前記第１コネクタが、前記メモリモジュールを前記基板面に対して水平に固定するためのコネクタであり、
前記第２コネクタが、前記メモリモジュールを前記基板面に対して水平に且つ前記第１コネクタとは表裏逆に固定するためのコネクタであり、
前記第１コネクタと前記第２コネクタとが、前記メモリモジュールの挿入口側が近接するように、前記基板の一方の面上に取り付けられている
ことを特徴とするメインボード。
【請求項２】
前記メモリモジュールが、複数のＤＤＲ  ＳＤＲＡＭが搭載されたＳＯＤＩＭＭである
ことを特徴とする請求項１記載のメインボード。
【請求項３】
印刷に関する制御を行うためのメインボードを有する印刷装置であって、
前記メインボードが、
その基板上に、少なくとも、一方の端に端子群が形成されているメモリモジュール用の第１コネクタ及び第２コネクタとそれらに接続されたメモリ制御ＩＣとが設けられたものであると共に、前記第１コネクタとして、前記メモリモジュールを前記基板面に対して水平に固定するためのコネクタが採用され、前記第２コネクタとして、前記メモリモジュールを前記基板面に対して水平に且つ前記第１コネクタとは表裏逆に固定するためのコネクタが採用され、前記第１コネクタと前記第２コネクタとが、前記メモリモジュールの挿入口側が近接するように、前記基板の一方の面上に取り付けられたものであり、
その筐体に設けられている或るカバーを開ければ、前記メインボードの各コネクタに対するメモリモジュールの脱着作業が行えるように、装置の全体形状及び前記メインボードの装置内での位置が定められている
ことを特徴とする印刷装置。
【発明の詳細な説明】
【技術分野】
【０００１】
本発明は、メモリモジュール用の２つのコネクタを備えたメインボードと、そのようなメインボードが用いられた印刷装置とに、関する。
【背景技術】
【０００２】
現在、市販されている、メモリの増設が可能な印刷装置のボート（コントローラボード）は、その基板の一方の面上に、メモリモジュール（通常、ＤＩＭＭ〔Dual In-line Memory Module〕）を基板面に対して垂直に取り付けるための幾つかのコネクタを並べたものとなっている。そして、印刷装置は、或るカバーを開ければ、ボードの各コネクタに対するメモリモジュールの脱着作業が行えるように、その構成（筐体の構造、筐体内でのコントローラボードの位置等）が定められた装置となっている。
【０００３】
一方、現在、市販されているラップトップコンピュータのメインボード（マザーボード）は、通常、図４に模式的に示したような構成のもの，すなわち、ＳＯＤＩＭＭ〔Small Outline Dual In-line Memory Module〕を基板面に対して水平に取り付けるためのコネクタ（ＳＯＤＩＭＭの取り付けが、端子側の端を低くした状態で斜め上方から挿入した後，水平位置まで倒し込むといった手順で行われるコネクタ）であるスタンダードタイプコネクタ５１ｓとリバースタイプコネクタ５１ｒとが、その基板の各面に、基板を挟んで対面するように設けられたものとなっている。
【０００４】
ここで、リバースタイプコネクタ５１ｒとは、そのキー位置がスタンダードタイプコネクタ５１ｓのキー位置と異なっていることから明らかなように、取り付け後のＳＯＤＩＭＭの表裏が、スタンダードタイプコネクタ５１ｓとは逆になるコネクタのことである。なお、ラップトップコンピュータのメインボードに、このような構成が採用されているのは、このように構成しておくと、ＳＯＤＩＭＭを制御するためのメモリ制御ＩＣ５２と、スタンダードタイプコネクタ５１ｓ及びリバースタイプコネクタ５１ｒとの間の配線レイアウトを単純なものとすることができ、かつ、メモリ制御ＩＣ５２と各コネクタ５１ｓ／５１ｒとの間の配線長を共に短くする（各配線の信号遅延によってボード性能（ＳＯＤＩＭＭに対するアクセス速度）が劣化しないようにする）ことが出来るためである。また、ＳＯＤＩＭＭの詳細については、その規格を制定しているJEDEC(Joint Electronic Devices Engineering Council)のホームページ（非特許文献１）を、参照されたい。
【０００５】
要するに、既存の印刷装置は、メモリモジュール用のいずれのコネクタに対しても比較的に簡単にメモリモジュールの脱着作業が行える装置ではあるが、そのメインボードとして、高さ方向（基板に垂直な方向）のサイズが大きなものが用いられているため、当該高さ方向と同じ方向のサイズが大きいという欠点を有する装置となっている。
【０００６】
一方、ラップトップコンピュータは、そのメインボードとして、高さ方向のサイズが小さいものが用いられているため、当該高さ方向と同じ方向のサイズが小さな装置となっている。ただし、ラップトップコンピュータは、メインボード自体をその筐体から取り外さない限り、メインボードの一方の面に設けられているコネクタ（図４に示したメインボードでは、基板の裏面に設けられているスタンダードタイプコネクタ５１ｓ）に対するＳＯＤＩＭＭの脱着作業が行えないという欠点を有する装置となっている。
【非特許文献１】http://www.jedec.org/
【発明の開示】
【発明が解決しようとする課題】
【０００７】
本発明は、上記のような現状に鑑みなされたものであり、本発明の第１の課題は、メモリ制御ＩＣとコネクタ間の信号遅延によるボード性能への悪影響がなく（少なく）、その設計時に配線上の問題も生じないメインボードであって、それを用いることにより、メインボードの高さ方向と一致する方向のサイズが小さく、かつ、２つのメモリモジュールの双方を容易に脱着可能な装置を構成することが出来るメインボードを、提供することにある。
【０００８】
また、本発明の第２の課題は、少なくとも２つのメモリモジュールが交換可能な印刷装置であって、それらの双方が容易に脱着可能であり、かつ、既存の印刷装置よりもそのサイズが小さい印刷装置を、提供することにある。
【課題を解決するための手段】
【０００９】
上記第１の課題を解決するために、本発明では、その基板上に、少なくとも、一方の端に端子群が形成されているメモリモジュール用の第１コネクタ及び第２コネクタと、それらに装着されたメモリモジュールを制御するためのメモリ制御ＩＣとを、備えたメインボードを、第１コネクタが、メモリモジュールを基板面に対して水平に固定するためのコネクタであり、第２コネクタが、メモリモジュールを基板面に対して水平に且つ第１コネクタとは表裏逆に固定するためのコネクタであり、第１コネクタと第２コネクタとが、メモリモジュールの挿入口側が近接するように、基板の一方の面上に取り付けられているものとしておく。
【００１０】
すなわち、本発明のメインボードは、２つのメモリモジュールが、その一方の基板面に対して、水平に固定される構成を有する。従って、本発明のメインボードは、その高さ方向と一致する方向のサイズが小さく、かつ、２つのメモリモジュールの双方を容易に脱着可能な装置を構成することができるメインボードとして機能することになる。また、本発明のメインボードは、第１コネクタと第２コネクタとの、メモリモジュールの挿入口側が近接する（両コネクタに挿入された２つのメモリモジュールの端子群が近接する）構成を有するので、メモリ制御ＩＣとコネクタ間の信号遅延によるボード性能への悪影響がない（少ない）メインボードとして機能することになる。さらに、本発明のメインボードは、メモリモジュールを表裏逆に固定するための第１コネクタ、第２コネクタが用いられたものであるので、このメインボードの設計時には、配線レイアウト上の問題（多層化することにより、配線を交差させなければならない）も生じないことになる。
【００１１】
なお、本発明のメインボードは、一方の端に端子群が形成されているものでありさえすれば、どのようなメモリモジュールが装着されるものとして実現しても良いものであり、例えば、本発明のメインボードを、メモリモジュールが、複数のＤＤＲ（Double Data Rate）  ＳＤＲＡＭが搭載されたＳＯＤＩＭＭとなる形で実現しても良い。
【００１２】
また、上記第２の課題を解決するために、本発明では、印刷に関する制御を行うためのメインボードを有する印刷装置を、メインボードとして、その基板上に、少なくとも、一方の端に端子群が形成されているメモリモジュール用の第１コネクタ及び第２コネクタと、それらに接続されたメモリ制御ＩＣとが、設けられたものであると共に、第１コネクタとして、メモリモジュールを基板面に対して水平に固定するためのコネクタが採用され、第２コネクタとして、メモリモジュールを基板面に対して水平に、かつ、第１コネクタとは表裏逆に、固定するためのコネクタが採用され、第１コネクタと第２コネクタとが、メモリモジュールが挿入される部分が近接するように、基板の一方の面上に取り付けられたものが用いられた装置であると共に、その筐体に設けられている或るカバーを開ければ、メインボードの各コネクタに対するメモリモジュールの脱着作業が行えるように、装置の全体形状及びメインボードの装置内での位置が定められた装置としておく。
【００１３】
すなわち、本発明の印刷装置は、その筐体に設けられている或るカバーを開ければ、本発明のメインボード（請求項１記載のもの）の各コネクタに対するメモリモジュールの脱着作業が行える構成を、有する。従って、この本発明の印刷装置は、２つのメモリモジュールが交換可能な印刷装置であると共に、それらの双方が容易に脱着可能であり、既存の印刷装置よりもそのサイズが小さく、性能／設計上の問題も生じない印刷装置として、機能することになる。
【発明を実施するための最良の形態】
【００１４】
以下、本発明を実施するための最良の形態を、図面を参照して詳細に説明する。
【００１５】
図１に、本発明の一実施形態に係る印刷装置１０の構成を示す。
【００１６】
図示したように、本実施形態に係る印刷装置１０は、主な構成要素として、制御部１１と印刷部１２と操作パネル１３とを備えた装置である。また、印刷装置１０は、本装置用のドライバプログラム３０がインストールされたホスト５０と接続されて使用される装置（いわゆるプリンタ）となっている。
【００１７】
この印刷装置１０が備える印刷部１２は、トナーを利用して印刷を行う（制御部１１からのデータに応じた内容の画像を用紙上に形成する）ユニットである。操作パネル１３は、ユーザとの間のインタフェース手段として印刷装置１０の筐体上に設けられているユニットである。この操作パネル１３は、ＬＣＤと、幾つかのＬＥＤとにより構成されている。
【００１８】
制御部１１（本発明のメインボードに相当）は、、各部を統合的に制御することにより、印刷装置１０（印刷部１２，操作パネル１３及び自ユニットからなる装置）を、プリンタとして動作させるユニットである。この制御部１１は、基板上に、ＣＰＵ，ＲＯＭ，ＲＡＭ等が取り付られた（各種のコネクタ（スロット）が設けられたプリント基板に，各種ＩＣが取り付けられた）ユニットとなっている。
【００１９】
さらに、この制御部１１は、図２に模式的に示したような構成のもの，すなわち、その基板の一方の面上に、ＤＤＲ(Double Data Rate)  ＳＤＲＡＭのＳＯＤＩＭＭ（Small Outline Dual In-line Memory Module：その基板の一方の端の両面に端子が設けられているメモリモジュール）を基板面に対して水平に取り付けるためのスタンダードタイプコネクタ２１ｓとリバースタイプコネクタ２１ｒとが、ＳＯＤＩＭＭの挿入口（キーが設けられている部分）側が近接するように（両コネクタに挿入された２つのＳＯＤＩＭＭの端子群が近接するように）並べられたもの，となっている。
【００２０】
この制御部１１に設けられているスタンダードタイプコネクタ２１ｓ、リバースタイプコネクタ２１ｒは、装着されたＳＯＤＩＭＭに対する制御が同一のメモリ制御ＩＣ２２によって行われるコネクタである。また、スタンダードタイプコネクタ２１ｓ、リバースタイプコネクタ２１ｒは、それぞれ、スタンダードタイプコネクタ５１ｓ、リバースタイプコネクタ５１ｒ（図４参照）と同じものとなっている。すなわち、スタンダードタイプコネクタ２１ｓは、ＳＯＤＩＭＭの取り付けが、端子側の端を低くした状態で斜め上方から挿入した後，水平位置まで倒し込むといった手順で行われるコネクタとなっており、リバースタイプコネクタ２１ｒは、基本的にはスタンダードタイプコネクタ５１ｓと同構成のコネクタであるが、取り付け後のＳＯＤＩＭＭの表裏がスタンダードタイプコネクタ５１ｓとは逆になるコネクタとなっている。
【００２１】
そして、本印刷装置１０は、その筐体として，印刷部１２における用紙の移動方向に平行な一方の側面にＳＯＤＩＭＭ交換用のカバーが設けられたものが採用された装置であると共に、当該カバーを開けた部分に、スタンダードタイプコネクタ２１ｓ、リバースタイプコネクタ２１ｒが存在しているように、筐体内での制御部１１の位置が定められた装置となっている。
【００２２】
以上、説明したように、この印刷装置１０には、２つのＳＯＤＩＭＭが、その一方の基板面に対して水平に固定される構成の制御部１１（メインボード）が用いられている。そして、印刷装置１０は、制御部１１を装置から取り外さなくても、各ＳＯＤＩＭＭの脱着作業を行える構成を有するものとなっているので、結局、本印刷装置１０は、制御部１１（を構成している基板）の高さ方向と一致する方向のサイズが小さく、かつ、２つのＳＯＤＩＭＭの双方を容易に脱着可能な装置として機能することになる。
【００２３】
また、制御部１１は、スタンダードタイプコネクタ２１ｓ、リバースタイプコネクタ２１ｒが、その基板の一方の面上に、ＳＯＤＩＭＭの挿入口側が近接するように（両コネクタに挿入された２つのＳＯＤＩＭＭの端子群が近接するように）、配置されたものとなっている。従って、この制御部１１は、設計時に配線レイアウト上の問題（多層化することにより、配線を交差させなければならない）も生じないユニット（メインボード）となっていることになる。さらに、同じ種類の２個のコネクタを基板の同一面上に配置した場合には、図３（Ｂ）に模式的に示したように、一方のコネクタ（図では、左側に示してあるスタンダードタイプコネクタ２１ｓ）とメモリ制御ＩＣ２２との間の配線長が、他方のコネクタとメモリ制御ＩＣ２２との間の配線長よりも、ＳＯＤＩＭＭの高さ方向のサイズ（通常、３〜４ｃｍ）分、長くなってしまい、その結果として性能が劣化してしまうことになるが、本実施形態に係る制御部１１では、図３（Ａ）に模式的に示したように、そのようなことが生じないことにもなる。
【００２４】
＜変形形態＞
上記した印刷装置１０は、各種の変形が可能である。例えば、印刷装置１０が備える制御部１１は、基板の同一面上に、メモリ制御ＩＣ２２、スタンダードタイプコネクタ２１ｓ及びリバースタイプコネクタ２１ｒが設けられたもの（図２参照）であったが、制御部１１を、メモリ制御ＩＣ２２が、スタンダードタイプコネクタ２１ｓ及びリバースタイプコネクタ２１ｒとは逆の面に設けられたものに変形しても良い。
【００２５】
また、ＳＯＤＩＭＭ以外のメモリモジュール（ただし、一方の端に端子が設けられているもの）が装着される装置に印刷装置１０を変形しておいても良いことや、上記技術を用いて、プリンタ以外の印刷装置を構成しても良いことは、当然のことである。
【図面の簡単な説明】
【００２６】
【図１】本発明の一実施形態に係る印刷装置の構成図。
【図２】実施形態に係る印刷装置が備える制御部の構成（コネクタ配置）の説明図。
【図３】実施形態に係る制御部の構成の特徴を説明するための図。
【図４】ラップトップコンピュータのメインボード（マザーボード）の構成（コネクタ配置）の説明図。
【符号の説明】
【００２７】
１０  印刷装置，  １１  制御部，  １２  印刷部，  １３  操作パネル
２１ｓ、５１ｓ  スタンダードタイプコネクタ
２１ｒ、５１ｒ  リバースタイプコネクタ
２２、５２  メモリ制御ＩＣ
【図１】
2005119168.tif 000003
【図２】
2005119168.tif 000004
【図３】
2005119168.tif 000005
【図４】
2005119168.tif 000006